(57)【要約】      （修正有）【課題】煙突および煙突内部の放熱効果を向上させ、暖房器具の暖房効率を高め、また排気ガスと粉塵の拡散を防ぐことができる暖房器具用煙突を提供する。【解決手段】暖房器具に連通して設けられ開口部から排煙する筒状煙突を有する暖房器具用煙突１であって、筒状煙突は、平面方向から見て筒状部の形状が筒状部の面積を増大させる形状からなることを特徴とし、従来の円形の筒より表面積を増大させて熱効率が良くなり暖房効率が増大する。【選択図】図２
0003235063.tif 000002
【実用新案登録請求の範囲】
【請求項１】
暖房器具に連通して設けられ開口部から排煙する筒状煙突を有する暖房器具用煙突であって、前記筒状煙突は、平面方向から見て筒状部の形状が筒状部の表面積を増大させる形状からなることを特徴とする暖房器具用煙突。
【請求項２】
前記暖房器具用煙突の平面方向から見た形状は、山形が連続した形状、半円状が連続した形状、逆半円状が連続した形状、丸みをおびた波型が連続した形状、略矩形が連続した形状、のうちのいずれかの形状を含むことを特徴とする暖房器具用煙突。
【請求項３】
暖房器具に連通して設けられ開口部から排煙する筒状煙突を有する暖房器具用煙突であって、筒状煙突の外周部に強度補強のための帯状の補強帯を巻いたことを特徴とする請求項１又は２に記載の暖房器具用煙突。
【請求項４】
前記暖房器具用煙突の素材は、熱伝導率の良い素材であって、亜鉛めっき鋼板，ブリキ、銅、アルミ又はファインセラミックスを含むことを特徴とする請求項１乃至３に記載の暖房器具用煙突。
【請求項５】
前記暖房器具用煙突の開口部近傍に、煤煙フィルターを設けたことを特徴とする請求項１乃至４に記載の暖房器具用煙突。
【請求項６】
前記暖房器具用煙突の開口部近傍に、一酸化炭素フィルターを設けたことを特徴とする請求項１乃至５に記載の暖房器具用煙突。
【考案の詳細な説明】
【技術分野】
【０００１】
本考案は、暖房器具に取り付けて用いる暖房器具用煙突に関する。
【背景技術】
【０００２】
従来、薪、ガス、石油等を燃料とする暖房器具に取り付けられる煙突では、燃料の燃焼よって発生した熱が、排気ガスと同時に屋外に排出されるとともに粉塵も屋外に排出される。
また寒冷地では、従来の煙突では熱効率が悪く、燃料の費用が嵩むという問題点があった。
【０００３】
特許文献１の暖房器具用煙突における放熱装置によれば、金属板を連続的波状に成型し両端を固着して筒状の放熱装置が考案されている。しかしながらこれは煙突に被せて使用する形態であり使用するためには、煙突に追加的に装着する必要があるという課題がある。
【０００４】
特許文献２の暖房装置用煙突によれば、煙突および煙突内部の熱の吸収・放熱の効果を向上させるために煙突が開示されている。しかしながら、複雑な形状を形成する必要があるためコストがかかるという課題がある。
【先行技術文献】
【特許文献】
【０００５】
【特許文献１】公開実用平０２−０９６５１０公報
【特許文献２】実用新案登録第３１４４０２１号公報
【考案の概要】
【考案が解決しようとする課題】
【０００６】
本考案は、煙突および煙突内部の放熱効果を向上させ、暖房器具の暖房効率を高め、また排気ガスと粉塵の拡散を防ぐことができる暖房器具用煙突を提供することにある。
【課題を解決するための手段】
【０００７】
上記目的を達成するためになされた本考案による暖房器具用煙突は、暖房器具に連通して設けられ開口部から排煙する筒状煙突を有する暖房器具用煙突であって、前記筒状煙突は、平面方向から見て筒状部の形状が筒状部の表面積を増大させる形状からなることを特徴とする。
【０００８】
前記暖房器具用煙突の平面方向から見た形状は、山形が連続した形状の他、半円状が連続した形状、逆半円状が連続した形状、丸みをおびた波型が連続した形状、略矩形が連続した形状、のうちのいずれかの形状を含むことが好ましい。
【０００９】
暖房器具に連通して設けられ開口部から排煙する筒状煙突を有する暖房器具用煙突であって、筒状煙突の外周部に強度補強のための帯状の補強材を複数個所巻いたことを特徴とする。
【００１０】
前記暖房器具用煙突の素材は、熱伝導率の良い素材であって、亜鉛めっき鋼板，ブリキ、銅、アルミ又はファインセラミックスを含むことを特徴とする。
【００１１】
前記暖房器具用煙突の開口部近傍に、煤煙フィルターを設けることを特徴とする。
【００１２】
前記暖房器具用煙突の開口部近傍に、一酸化炭素フィルターを設けることが好ましい。
【考案の効果】
【００１３】
本考案の暖房器具用煙突によれば、煙突の筒状部の断面が筒状部の表面積を増大させる形状からなることにより吸熱及び放熱効果が増大し、暖房器具の燃焼効率が良くなり燃料費の軽減にも効果がある。
【００１４】
さらに本考案の暖房器具用煙突によれば、熱伝導率の良い素材を用いることにより吸熱及び放熱効果が増大し、暖房器具の燃焼効率が良くなり燃料費の軽減にも効果がある。
【００１５】
また本考案の暖房器具用煙突によれば、煙突の開口部近傍に、煤煙フィルターや一酸化炭素フィルターを設けることにより、煤煙や一酸化炭素の放出を防ぎクリーンな暖房器具となる。
【図面の簡単な説明】
【００１６】
【図１】本考案の一実施形態による暖房器具用煙突の使用状態を示す斜視図である。
【図２】本考案の一実施形態による暖房器具用煙突の斜視図である。
【図３】本考案の一実施形態による暖房器具用煙突の正面図である。
【図４】本考案の一実施形態による暖房器具用煙突の平面図である。
【図５】本考案の一第２の実施形態による暖房器具用煙突の平面図である。
【図６】本考案の一第３の実施形態による暖房器具用煙突の平面図である。
【図７】本考案の一第４の実施形態による暖房器具用煙突の平面図である。
【図８】本考案の一第５の実施形態による暖房器具用煙突の平面図である。
【図９】本考案の一実施形態による暖房器具用煙突の開口部近傍に、煤煙フィルター若しくは、一酸化炭素フィルターを設けた状態を示す図である。
【図１０】本考案の一実施形態による暖房器具用煙突の外周部に強度補強のための帯状部の補強材を複数個所巻いた状態を示す図である。
【考案を実施するための形態】
【００１７】
以下本考案の暖房器具用煙突を実施するための具体例を、図面を参照しながら詳細に説明する。
【００１８】
図１は、本考案の一実施形態による暖房器具用煙突の使用状態を示す斜視図である。
図１を参照すると、本考案の暖房器具用煙突１は、暖房器具２と連通しており暖房器具２で燃焼した熱及び煙は、暖房器具用煙突１を通り開口部より外部に放出される。
【００１９】
図２は、暖房器具用煙突１の全体を表した斜視図である。平面の方向から見て複数の山形波板状の筒とすることにより、煙突の表面積が円形の筒の煙突よりも増大し熱効率が良くなり暖房効率が増大する。また煙突の材質は、熱伝導率の良い素材であって、亜鉛めっき鋼板，ブリキ、銅、アルミ又はファインセラミックスを含む素材である。
【００２０】
図３は、暖房器具用煙突１の正面図である。
【００２１】
図４は、暖房器具用煙突１の実施形態による暖房器具用煙突の平面図であり、平面の方向から見て複数の山形波板状の筒を形成することにより、円形の筒よりも表面積を増大させて熱効率が良くなり暖房効率が増大する。
【００２２】
図５は、暖房器具用煙突１の第２の実施形態による暖房器具用煙突の平面図であり、平面の方向から見て複数の半円波板状の筒を形成することにより、円形の筒よりも表面積を増大させて熱効率が良くなり暖房効率が増大する。
【００２３】
図６は、暖房器具用煙突１の第３の実施形態による暖房器具用煙突の平面図であり、平面の方向から見て複数の逆半円状が連続した形状の筒を形成することにより、円形の筒よりも表面積を増大させて熱効率が良くなり暖房効率が増大する。  
【００２４】
図７は、暖房器具用煙突１の第４の実施形態による暖房器具用煙突の平面図であり、平面の方向から見て丸みをおびた波型が連続した形状の筒を形成することにより、円形の筒よりも表面積を増大させて熱効率が良くなり暖房効率が増大する。
【００２５】
図８は、暖房器具用煙突１の第５の実施形態による暖房器具用煙突の平面図であり、平面の方向から見て略矩形が連続した形状の筒を形成することにより、円形の筒よりも表面積を増大させて熱効率が良くなり暖房効率が増大する。
【００２６】
図９は、本考案の一実施形態による暖房器具用煙突の開口部近傍に、煤煙フィルター３を設けた状態を示す図である。煤煙フィルター３は、主にガラス繊維や合成繊維により形成されたろ布で構成されるフィルターである。また、煤煙フィルターと共に、市販の一酸化炭素フィルターを装着することもできる。これにより、排出される煙から、煤煙、一酸化炭素が除去されクリーンな空気が排出される煙突となる。
【００２７】
図１０は、本考案の一実施形態による暖房器具用煙突の外周部に強度補強のための帯状の補強材による補強帯４を複数個所巻いた状態を示す図である。煙突の形状や材質により強度が必要な場合には、図１０に示すような補強帯４で、煙突の複数個所の外周部を、熱伝導率の良い素材、例えば煙突と同じ材質の帯状の板により囲み、必要に応じて接着や溶着を施すことにより強度補強を図ることができる。
【００２８】
以上、本考案の実施形態について図面を参照しながら詳細に説明したが、本考案は、上述の実施形態に限定されるものではなく、本考案の技術的範囲から逸脱しない範囲内で多様に変更することが可能である。
【符号の説明】
【００２９】
１      暖房器具用煙突
２      暖房器具
３        煤煙フィルター
４      補強帯
【図１】
0003235063.tif 000003
【図２】
0003235063.tif 000004
【図３】
0003235063.tif 000005
【図４】
0003235063.tif 000006
【図５】
0003235063.tif 000007
【図６】
0003235063.tif 000008
【図７】
0003235063.tif 000009
【図８】
0003235063.tif 000010
【図９】
0003235063.tif 000011
【図１０】
0003235063.tif 000012